(57)【要約】【課題】  使用量節減装置の導入による厨房での水道水、ガス、電力の使用量が適正か、否かを管理する。【解決手段】  使用量節減装置１の導入による厨房での水道水、ガス、電力の使用量を適正使用量に管理するシステムである。使用量節減装置１を導入済みの多数の導入済厨房毎に、導入前使用量、導入後使用量、節減率を登録したデータベース２を備える。新たに使用量節減装置１を導入する測定対象厨房Ａにおける業種、業態、客席数又は一定期間における客数と、導入前の一定期間における水道水、ガス、電力の使用量の入力に基づき、データベース２から近似した導入済厨房を選定して使用量の節減率を抽出する。測定対象厨房Ａの導入後の使用量の入力に基づいて、測定対象厨房Ａにおける導入前の使用量と、導入前の使用量に抽出した節減率を掛けることで求めた一定期間毎の目標使用量と、導入後の使用量とを表示部７で表示する。【選択図】        図１
2010039996.tif 000002
【特許請求の範囲】
【請求項１】
厨房において使用する水道水、ガス、電力の少なくとも１つ又は複数の使用量を、使用量節減装置を導入することで適正使用量とするための厨房管理システムであって、
既に使用量節減装置を導入している多数の導入済厨房毎に、業種、業態、客席数又は一定期間における客数、使用量節減装置の導入前の一定期間における水道水、ガス、電力の少なくとも１つ又は複数の使用量、導入後の一定期間における使用量と、使用量節減装置を導入することによる上記導入前と導入後のデータに基づく使用量の節減率を登録したデータベースを備え、
サーバーに、
新たに使用量節減装置を導入する測定対象厨房における業種、業態、客席数又は一定期間における客数と、使用量節減装置の導入前の一定期間における水道水、ガス、電力の少なくとも１つ又は複数の使用量の入力に基づいて、上記データベースに登録された多数の導入済厨房の中から、上記測定対象厨房と、業種、業態が一致し、且つ、客席数又は一定期間における客数、使用量節減装置を導入する前の一定期間の使用量が最も近似した導入済厨房を選定して当該選定された導入済厨房における使用量の節減率を抽出する節減率抽出手段と、
測定対象厨房に使用量節減装置を導入した後における一定期間毎の水道水、ガス、電力の少なくとも１つ又は複数の使用量の入力に基づいて、測定対象厨房における一定期間毎の導入前の使用量と、該測定対象厨房における一定期間毎における導入前の使用量に、上記節減率抽出手段で抽出した節減率を掛けることで求めた一定期間毎の目標使用量と、導入後の一定期間における上記実際の使用量とを表示用出力データとして処理するための表示用出力処理手段と、
を備え、
上記表示用出力処理手段で生成された出力データに基づいて、測定対象厨房の一定期間における導入前の使用量と、該測定対象厨房の一定期間における導入前の使用量に、上記節減率を掛けることで求めた目標使用量と、導入後の一定期間における上記実際の使用量とを表示する表示部を備え
て成ることを特徴とする厨房管理システム。
【請求項２】
使用量節減装置として水道水使用量節減装置を備え、該水道水使用量節減装置が、給水口に取付ける定流量弁と、食器前洗い用給水装置とを有し、
上記食器前洗い用給水装置が、
汚れた食器を前洗いするために前洗い用シンクに上方から給水する給水口と、給水口への給水及び停水を行うための電磁弁と、給水口の下方に被検知物が存在することを検知する検知センサと、給水口の下方に被検知物が存在することを検知センサで検知した場合に自動的に電磁弁を開いて給水口から給水し且つ検知センサで給水口の下方に被検知物の存在を検知しない場合に自動的に電磁弁を閉にして給水を停止するセンサ自動給・停止モードと、電磁弁を開いて給水口から給水を開始して一定期間経過するか、又は、給水口からの給水が所定量になると自動的に電磁弁を閉じて給水停止をする前洗い用シンクへの自動水張りモードと、電磁弁の開と閉とを交互に間欠的に行って給水口から間欠的に給水する間欠給水モードを有し、上記３つの給水モードのうちいずれかの給水モードを選択して設定するためのモード設定手段を備えて成ることを特徴とする請求項１記載の厨房管理システム。
【請求項３】
測定対象厨房が複数存在し、各測定対象厨房にそれぞれ、使用量節減装置を導入した後における一定期間毎の水道水、ガス、電力の少なくとも１つ又は複数の使用量をサーバーに送信するための通信手段を設け、サーバーに設けた表示用出力処理手段で生成された出力データに基づいて、複数の測定対象厨房のある期間におけるそれぞれの使用結果を表示部で一覧比較表示することを特徴とする請求項１又は請求項２記載の厨房管理システム。
【請求項４】
前記データベースに登録された多数の導入済厨房の中から、上記測定対象厨房と、業種、業態が一致し、且つ、客席数又は一定期間における客数、使用量節減装置を導入する前の一定期間の使用量が最も近似した導入済厨房を選定して節減率を抽出するための節減率抽出手段が、客席数又は一定期間における客数を数の大小により点数化すると共に、使用量節減装置を導入する前の一定期間の使用量を使用量の大小により点数化し、業種、業態が一致し、且つ、客席数又は一定期間における客数の点数と使用量の点数との合計が最も近い導入済厨房を選定するものであることを特徴とする請求項１乃至請求項３のいずれか一項に記載の厨房管理システム。
【発明の詳細な説明】
【技術分野】
【０００１】
本発明は、厨房において使用する水道水、ガス、電力の少なくとも１つ又は複数の使用量を、使用量節減装置を導入することで適正使用量とするための厨房管理システムに関するものである。
【背景技術】
【０００２】
従来から、厨房において使用する水道水の使用量を節減する水道水使用量節減装置が特許文献１により知られている。
【０００３】
この特許文献１に示された従来例は、水道管に取付けられた電磁弁と、業務用厨房の洗い場の天井などに取付けられて洗い場の床に向けて赤外線を照射する赤外線センサと、電磁弁を開閉するためのスタート／ストップ釦と、貯水釦と、赤外線センサによる洗い場に人が居ることの検知と、スタート／ストップ釦や、貯水釦の操作に基づいて電磁弁の開閉制御を行うための制御部とを備えたものである。
【０００４】
そして、赤外線センサで洗い場に人がいることを検知した状態で、スタート／ストップ釦を押すと電磁弁を開いて給水を開始し、スタート／ストップ釦を再度押すと電磁弁を閉じて給水を停止するもので、上記給水中に洗い場から人が去って人を検知しないと電磁弁を閉じて給水を停止するようになっている。
【０００５】
また、赤外線センサで洗い場に人がいることを検知した状態で、貯水釦を押すと電磁弁を開いて一定期間給水し、一定期間が経過すると電磁弁を閉じて給水を停止する。この間、上記給水中に洗い場から人が去って人を検知しなくても、一定期間経過するまでは給水を継続し、一定期間経過すると電磁弁を閉じて給水を停止するようになっている。
【０００６】
そして、上記従来例においては、表示装置で水道水の一日当たりの使用量や、一週間当たりの使用量、あるいは一ヶ月当たりの使用量を表示して、厨房における水道水の使用量を管理したり、あるいは、使用量が表示されることで、厨房作業者に節水の動機付けを行うようになっている。
【０００７】
しかしながら、従来は、上記のように水道水使用量節減装置を導入することで、水道水の節減を行っているが、水道水使用量節減装置を導入した後における実際の水道水の使用量が、果たして当該厨房における水道水使用量節減装置を導入することによる適正な使用量となっているかということについては、一切判らず、したがって、水道水使用量節減装置を導入した場合における当該厨房において適切な節水がなされているかどうかの管理が正確にできないという問題がある。
【０００８】
特に、複数の厨房においてそれぞれ水道水使用量節減装置を配置しても、複数の厨房における節水状態を比較しながら、使用量の管理をすることなど従来は行われていなかった。
【０００９】
また、ガスや電気においては、厨房毎の適切な使用量節減の管理など従来は行われていなかった。
【００１０】
また、厨房で使用する水道水、ガス、電力のすべての使用量節減の管理を一元的に行うことも従来はなされていなかった。
【特許文献１】特開２００２−４７７０８号公報
【発明の開示】
【発明が解決しようとする課題】
【００１１】
本発明は上記の従来の問題点に鑑みて発明したものであって、厨房において使用する水道水、ガス、電力の少なくとも１つ又は複数の使用量を、使用量節減装置を導入して節減するに当たり、使用量節減装置の導入後の使用量が適正使用量であるか、否かを正確に管理でき、また、厨房で働く人に対して節水や省エネルギーの適切な目標を与えることができる厨房管理システムを提供することを課題とするものである。
【課題を解決するための手段】
【００１２】
上記課題を解決するために本発明に係る厨房管理システムは、厨房において使用する水道水、ガス、電力の少なくとも１つ又は複数の使用量を、使用量節減装置１を導入することで適正使用量とするための厨房管理システムであって、既に使用量節減装置１を導入している多数の導入済厨房毎に、業種、業態、客席数又は一定期間における客数、使用量節減装置１の導入前の一定期間における水道水、ガス、電力の少なくとも１つ又は複数の使用量、導入後の一定期間における使用量と、使用量節減装置１を導入することによる上記導入前と導入後のデータに基づく使用量の節減率を登録したデータベース２を備え、サーバー３に、新たに使用量節減装置１を導入する測定対象厨房Ａにおける業種、業態、客席数又は一定期間における客数と、使用量節減装置１の導入前の一定期間における水道水、ガス、電力の少なくとも１つ又は複数の使用量の入力に基づいて、上記データベース２に登録された多数の導入済厨房の中から、上記測定対象厨房Ａと、業種、業態が一致し、且つ、客席数又は一定期間における客数、使用量節減装置１を導入する前の一定期間の使用量が最も近似した導入済厨房を選定して当該選定された導入済厨房における使用量の節減率を抽出する節減率抽出手段５と、測定対象厨房Ａに使用量節減装置を導入した後における一定期間毎の水道水、ガス、電力の少なくとも１つ又は複数の使用量の入力に基づいて、測定対象厨房Ａにおける一定期間毎の導入前の使用量と、該測定対象厨房Ａにおける一定期間毎における導入前の使用量に、上記節減率を掛けることで求めた一定期間毎の目標使用量と、導入後の一定期間における上記実際の使用量とを表示用出力データとして処理するための表示用出力処理手段６と、を備え、上記表示用出力処理手段６で生成された出力データに基づいて、測定対象厨房Ａの一定期間における導入前の使用量と、該測定対象厨房Ａの一定期間における導入前の使用量に、上記節減率を掛けることで求めた目標使用量と、導入後の一定期間における上記実際の使用量とを表示する表示部７を備えて成ることを特徴とするものである。
【００１３】
このように、サーバー３に、新たに使用量節減装置１を導入する測定対象厨房Ａにおける業種、業態、客席数又は一定期間における客数と、使用量節減装置１の導入前の一定期間における水道水、ガス、電力の少なくとも１つ又は複数の使用量を入力することで、節減率抽出手段５により、自動的に、データベース２に登録された多数の導入済厨房の中から、上記測定対象厨房Ａと、業種、業態が一致し、且つ、客席数又は一定期間における客数、使用量節減装置１を導入する前の一定期間の使用量が最も近似した導入済厨房を選定して当該選定された導入済厨房における使用量の節減率を抽出することができ、このようにして抽出した使用量の節減率を当該測定対象厨房Ａの節減率とし、当該測定対象厨房Ａの一定期間における導入前の使用量に上記のようにして抽出した節減率を掛けることで当該測定対象厨房Ａの一定期間における目標使用量を自動的に求めることができる。そして、当該測定対象厨房Ａの一定期間における導入前の使用量と、該測定対象厨房Ａの一定期間における導入前の使用量に、上記節減率を掛けることで求めた目標使用量と、導入後の一定期間における上記実際の使用量とを表示部７で表示することで、当該測定対象厨房Ａの一定期間における導入前の使用量と、導入後の一定期間における上記実際の使用量とを比較することで、使用量節減装置１を導入することによる一定期間における実際の節減量がわかり、また、導入後の一定期間における上記実際の使用量と、目標使用量とを比較することで、導入後における実際の使用に当たって、目標使用量にどのくらい近づいているか、あるいは、目標使用量に対してどのくらい差があるかが判り、使用量節減装置１を導入した後における水やガスや電気の使用が、業種、業態、客席数又は一定期間における客数、導入前の使用量が特定されている当該測定対象厨房Ａにおいて、適切であるか、否かが判る。
【００１４】
また、使用量節減装置１として水道水使用量節減装置１ａを備え、該水道水使用量節減装置１ａが、給水口８に取付ける定流量弁９と、食器前洗い用給水装置１０とを有し、上記食器前洗い用給水装置１０が、汚れた食器１１を前洗いするために前洗い用シンク１２に上方から給水する給水口８と、給水口８への給水及び停水を行うための電磁弁１４と、給水口８の下方に被検知物が存在することを検知する検知センサ１５と、給水口８の下方に被検知物が存在することを検知センサ１５で検知した場合に自動的に電磁弁１４を開いて給水口８から給水し且つ検知センサ１５で給水口８の下方に被検知物の存在を検知しない場合に自動的に電磁弁１４を閉にして給水を停止するセンサ自動給・停止モードと、電磁弁１４を開いて給水口８から給水を開始して一定期間経過するか、又は、給水口８からの給水が所定量になると自動的に電磁弁１４を閉じて給水停止をする前洗い用シンク１２への自動水張りモードと、電磁弁１４の開と閉とを交互に間欠的に行って給水口８から間欠的に給水する間欠給水モードを有し、上記３つの給水モードのうちいずれかの給水モードを選択して設定するためのモード設定手段１６を備えたものであることが好ましい。
【００１５】
このような構成とすることで、定流量弁９による節水効果と、食器前洗い用給水装置１０における節水効果により効果的な節水ができる。特に、食器前洗い用給水装置１０に３つの給水モードを設け、前洗いシンクへの水張りの際は自動水張りモードに設定することで正確に水張りができ、中華料理や西洋料理に使用した食器や汚れがひどい食器の前洗いの場合は、センサ自動給・停止モードに設定することで、給水口の下方に汚れた食器を位置させて前洗いをしている間中連続して給水して効果的に汚れのひどい食器の前洗いができると共に、前洗い作業を一時中断したり、次の食器の洗浄までに時間がある時はセンサで被検知物（食器）を検知しないので自動的に給水が停止されて、不必要に水を垂れ流しにすることがなく、また、日本料理に使用した食器や汚れの程度が比較的少ない食器の場合は、間欠給水モードに設定することで、前洗いシンク内に水張りした水で汚れを取り、間欠的に給水される水ですすぎをするといったように、少ない給水量で効果的に前洗いができ、これにより効果的に節水、省エネルギーを図ることができる。
【００１６】
また、測定対象厨房Ａが複数存在し、各測定対象厨房Ａにそれぞれ、使用量節減装置を導入した後における一定期間毎の水道水、ガス、電力の少なくとも１つ又は複数の使用量をサーバー３に送信するための通信手段２２を設け、サーバー３に設けた表示用出力処理手段６で生成された出力データに基づいて、複数の測定対象厨房のある期間におけるそれぞれの使用結果を表示部で一覧比較表示することが好ましい。
【００１７】
このような構成とすることで、複数の測定対象厨房Ａのある期間におけるそれぞれの使用結果を表示部７で一覧比較表示して、複数の測定対象厨房Ａの比較ができる。
【００１８】
また、前記データベース２に登録された多数の導入済厨房の中から、上記測定対象厨房Ａと、業種、業態が一致し、且つ、客席数又は一定期間における客数、使用量節減装置１を導入する前の一定期間の使用量が最も近似した導入済厨房を選定して節減率を抽出するための節減率抽出手段５が、客席数又は一定期間における客数を数の大小により点数化すると共に、使用量節減装置１を導入する前の一定期間の使用量を使用量の大小により点数化し、業種、業態が一致し、且つ、客席数又は一定期間における客数の点数と使用量の点数との合計が最も近い導入済厨房を選定するものであることが好ましい。
【００１９】
このような構成とすることで、使用量節減装置１を導入しようとする測定対象厨房Ａにおける適切な使用量の節減率を求めるための導入厨房を選定するに当たり、データベース２に登録された多数の導入済厨房の中から簡単に選定することができる。
【発明の効果】
【００２０】
本発明は、上記のように構成したので、厨房において使用する水道水、ガス、電力の少なくとも１つ又は複数の使用量を、使用量節減装置を導入して節減するに当たり、業種、業態、客席数又は一定期間における客数、導入前の一定期間における使用量という条件により特定される使用量節減装置を導入しようとする測定対象厨房における適切な使用量を簡単に求めることができて、使用量節減装置の導入後の使用量が適正使用量であるか、否かを正確に管理でき、適正使用量に近づけることにより適正な節水や省エネルギーを図ることができる。また、厨房で働く人にとっては、使用量節減装置の導入後の適正使用量がわかることで、作業者自身に節水や省エネルギーの適切な目標を与えることができるという効果がある。
【発明を実施するための最良の形態】
【００２１】
以下、本発明を添付図面に示す実施形態に基いて説明する。
【００２２】
本発明は、厨房において使用する水道水、ガス、電力の少なくとも１つ又は複数の使用量を、使用量節減装置１を導入することで適正使用量とするための厨房管理システムである。
【００２３】
まず、本発明の厨房管理システムにおいて導入する使用量節減装置１につき説明する。
【００２４】
以下の実施形態では、厨房において使用する水道水、ガス、電力の少なくとも１つ又は複数の使用量を節減するための使用量節減装置１として、水道水使用量節減装置１ａ、電力使用量節減装置１ｂを導入した例で説明する。ここで、水道水使用量節減装置１ａを導入することにより厨房で使用する水道水の使用量が節減されるということは、厨房で使用する湯の使用量が節減されることであり、このため、水道水使用量節減装置１ａを導入すると厨房で使用する湯を沸かすガスの使用量が同時に節減されることになるので、水道水使用量節減装置１ａは水道水の使用量を節減するための装置であると同時にガスの使用量を節減するための装置を兼用している。
【００２５】
実施形態において、水道水使用量節減装置１ａは、例えば、図２に示すようなもので、給水口８に取付ける定流量弁９と、食器前洗い用給水装置１０とを有している。
【００２６】
定流量弁９は、給水口８からの流水量を略一定にするために給水口８に組み込むものであり、給水口８から必要以上に水が吐出しないようにして節水するようになっており、例えば、特開平５−１００７４９号公報により知られている定流量弁９等を使用することができる。
【００２７】
また、食器前洗い用給水装置１０は、図２に示すように、汚れた食器１１を前洗いするために前洗い用シンク１２に上方から給水する給水口８と、給水口８への給水及び停水を行うための電磁弁１４（水の給水及び停水を行うための電磁弁１４ａ、湯の給水及び停水を行うための電磁弁１４ｂ）と、給水口８の下方に被検知物が存在することを検知する検知センサ１５と、操作盤１７とを備えている。
【００２８】
操作盤１７には制御部（図示せず）、表示部、モード設定手段１６等が設けてある。モード設定手段１６を操作することで、以下の３つのモードを選択して制御部により制御できるようになっている。
【００２９】
すなわち、３つのモードとは、給水口８の下方に被検知物が存在することを検知センサ１５で検知した場合に自動的に電磁弁１４を開いて給水口８から給水し且つ検知センサ１５で給水口８の下方に被検知物の存在を検知しない場合に自動的に電磁弁１４を閉にして給水を停止するセンサ自動給・停止モードと、電磁弁１４を開いて給水口８から給水を開始して一定期間経過するか、又は、給水口８からの給水が所定量になると自動的に電磁弁１４を閉じて給水停止をする前洗い用シンク１２への自動水張りモードと、電磁弁１４の開と閉とを交互に間欠的に行って給水口８から間欠的に給水する間欠給水モードである。
【００３０】
そして、業務用厨房において、当日の食器の前洗い作業を行うには、まず、作業者がモード設定手段１６を操作して自動水張りモードに設定することで、電磁弁１４（１４ａ、１４ｂ）の開閉制御がなされて前洗い用シンク１２に自動的に水張りがされる。
【００３１】
このように、前洗い用シンク１２に水張りをして、食器１１の前洗いの待機をする。次に、汚れた食器１１が発生すると、汚れた食器１１はいったん台１３に置かれ、この台１３に置かれた汚れた食器１１を手洗いにより前洗いする。この場合、食器１１の汚れ状態に応じて、センサ自動給・停止モード又は間欠給水モードのいずれかに設定する。
【００３２】
食器１１が油分やソースの残滓が洗い流し難いものや汚れのひどいものの場合は、モード設定手段１６を操作してセンサ自動給・停止モードに設定する。
【００３３】
センサ自動給・停止モードに設定すると、検知センサ１５により給水口８の下方の一定の領域に被検知物（食器や作業者の手）を検知することで、検知センサ１５が食器や作業者の手を検知している間中自動的に電磁弁１４（１４ａ、１４ｂ）を開いて連続給水を行う。したがって、給水口８の下方の一定領域において食器１１の手洗い作業をしている間中給水が継続され、油分やソースの残滓やひどい汚れを確実に前洗いにより洗い流すことができる。
【００３４】
上記汚れのひどい食器１１の前洗いに当たっては、食器１１の全体又は一部を前洗い用シンク１２内に張った水内に浸けたり、あるいは、食器１１の全体を前洗い用シンク１２内に張った水の水面上に出したりしながら給水口８から供給する水により残滓を洗い流し、すすぎを行って前洗いを行うものである。
【００３５】
センサ自動給・停止モードにおける運転中、食器１１のすすぎが終わって検知センサ１５により給水口８の下方の一定の領域に被検知物を検知しなくなると、つまり、給水口８の下方の一定の領域に食器や作業者の手が存在しなくなると、自動的に電磁弁１４（１４ａ、１４ｂ）を閉じ、センサ自動給・停止モードにおいて一時的に給水が停止される。その後、検知センサ１５が給水口８の下方の一定の領域に被検知物である食器や作業者の手を検知すると、再び、自動的に電磁弁１４（１４ａ、１４ｂ）を開いて検知センサ１５が食器や作業者の手を検知している間中自動的に電磁弁１４（１４ａ、１４ｂ）を開いて連続給水を行い、汚れのひどい食器１１の前洗いを行うことになる。
【００３６】
このように、センサ自動給・停止モードにおいては、給水口８の下方の一定領域において食器１１の手洗い作業をしている間中給水が継続されるので、油分やソースの残滓やひどい汚れを確実に前洗いにより洗い流すことができると共に、センサ自動給・停止モードにおいて一時的に食器１１の前洗いを中止している間は給水が停止されるので、センサ自動給・停止モードにおける給水の無駄がなくなって、節水することができる。
【００３７】
一方、食器１１の汚れが比較的少ないものの場合は、モード設定手段１６を操作して間欠給水モードに設定する。
【００３８】
間欠給水モードに設定すると、電磁弁１４（１４ａ、１４ｂ）の開と閉が交互に間欠的に行われて、給水口８から間欠的に給水される。したがって、作業者は間欠的な給水を利用した食器１１の手洗いと、前洗い用シンク１２に張った水に漬けての食器１１の手洗いとを併用しながら、食器１１の手洗い作業を行って、最後にすすぎを行う。この場合、食器１１の汚れが比較的少ないので、給水口８からの給水を連続給水することなく間欠的に給水するものであっても、十分に前洗いを行うことができて、節水をすることができる。
【００３９】
上記のように、センサ自動給・停止モード又は間欠給水モードを選択して前洗い処理された食器は、食器本洗浄部１８に送られて本洗浄される。この食器本洗浄部１８においてはコンベアのような自動搬送手段により食器１１を搬送しながら、洗剤を使った自動洗浄、自動すすぎを行う。
【００４０】
このように、実施形態における水道水使用量節減装置１ａは、厨房において食器の前洗い段階で使用する水を節水するようになっている。
【００４１】
また、上記のように、水道水使用量節減装置１ａを導入すると、ガスを熱源とする湯の使用量（給湯量）も同時に節減され、このため、ガスの使用量も節減されることになる。
【００４２】
次に、使用量節減装置１が電力使用量節減装置１ｂの例につき説明する。
【００４３】
電力使用量節減装置１ｂとしては、例えば、従来から公知の商用電源の電圧制御により消費電力を低減させるようにした自動電圧制御装置１９を導入することができる。
【００４４】
自動電圧制御装置１９は、図３に示すように、トランス２０と、変圧比調整手段２０ａとを備えたもので、トランス２０の二次側の出力を見て、変圧比調整手段２０ａによりトランス２０の変圧比を自動的に切り換えて二次側の出力が一定の電圧となるように調整するようにしたものであり、このようにトランス２０の二次側の出力を１００Ｖ以下の一定の電圧にして安定化することで、節電を図るようになっており、例えば、特開平１１−２４５８３４号公報により知られている自動電圧制御装置等を使用することができる。
【００４５】
上記の構成の使用量節減装置１（水道水使用量節減装置１ａ、電力使用量節減装置１ｂ）を，本発明における厨房管理システムにおける測定対象となる測定対象厨房Ａに導入して設置する。
【００４６】
図１には本発明の厨房管理システムの制御ブロック図が示してある。
【００４７】
図１においてＢは管理センターであって、管理センターＢにサーバー３が備えてある。上記使用量節減装置１を導入する測定対象厨房Ａには端末装置２１が設けてあり、複数の測定対象厨房Ａに設けた端末装置２１がインターネットやイントラネット等の通信ネットワーク、あるいはその他の通信手段２２を介してサーバー３に接続してある。
【００４８】
図中２はデータベースであり、既に使用量節減装置１を導入している多数の導入済厨房毎に、業種、業態、客席数又は一定期間（例えば１ヶ月）における客数、使用量節減装置１の導入前の一定期間（例えば１ヶ月）における水道水、ガス、電力の少なくとも１つ又は複数の使用量（実施形態では水道水の使用量、ガスの使用量、電力使用量）、導入後の一定期間（例えば１ヶ月）における使用量と、使用量節減装置１を導入することによる上記導入前と導入後のデータに基づく使用量の節減率が登録してある。
【００４９】
実施形態では、業種、業態、客席数又は１ヶ月間における客数、使用量節減装置１の導入前の１ヶ月間における水道水の使用量、ガスの使用量、電力使用量、導入後の１ヶ月間における使用量と、導入前と導入後のデータに基づく水道水の節減率、ガスの節減率、電力の節減率がそれぞれ、データベース２（水道データベース２ａ、ガスデータベース２ｂ、電気データベース２ｃ）に登録してある。
【００５０】
ここで、上記業種とは、ファミリーレストランの厨房、ホテルの厨房、社員食堂等により分類される。また、業態とは、和食、洋食、中華、あるいは、和食と洋食の２種類、あるいは、和食と中華との両方、あるいは洋食と和食の２種類、あるいは和食と洋食と中華の３種類といった提供される食事の種類により分類される。
【００５１】
このように、業種、業態のデータを、客席数又は一定期間（例えば１ヶ月）における客数、使用量節減装置１の導入前の一定期間における使用量、導入後の使用量のデータ、節減率のデータと共に、データベース２に登録したのは、以下の理由による。
【００５２】
例えば、水道水を例に取ると、厨房で使用する全水道水（湯を含む）の使用量は、大略、食器１１の前洗い洗浄における使用量、食器１１の本洗浄における使用量、調理の際の使用量の合計で求められる。そして、例えば、使用量節減装置１として前述のような水道水使用量節減装置１ａを導入した場合、食器１１の前洗い洗浄で使用する水道水（湯を含む）を節水するのであるが、厨房における水道水の全使用量に占める食器１１の前洗い洗浄において使用する水道水（湯を含む）の使用量の割合は、業種、業態により異なる。このため、水道水使用量節減装置１ａの導入前の厨房における水道水の使用量（全使用量）と、導入後の厨房における水道水の使用量（全使用量）とに基づいて求める水道水の節減率は業種、業態により異なる。
【００５３】
ガスの場合も同様で、厨房で使用する全ガスの使用量は、給湯における使用量、調理における使用量の合計であり、前述のように水道水使用量節減装置１ａを導入することで給湯のために使用するガスの使用量を節減するのであるが、厨房におけるガスの全使用量に占める給湯のために使用するガスの使用量の割合やガスの節減率は、業種、業態により異なる。
【００５４】
また、電気の場合も同様で、厨房で使用する全電力の使用量は、照明における使用量、空調、冷蔵・冷凍における使用量に大別される。ここで、冷蔵・冷凍における使用量は営業時間に関係ないが、一方、照明の電力使用量、空調の電力使用量は、例えば、営業時間に関係し、その使用量は、業種、業態により異なり、このため、電気の節減率も業種、業態により異なる。
【００５５】
したがって、後述のようにある業種、業態の測定対象厨房Ａにおける水道水、ガス、電力の目標使用量を、節減率に基づいて求めるには、データベース２に、業種、業態のデータを、客席数又は一定期間（例えば１ヶ月）における客数、使用量節減装置１の導入前の一定期間における使用量のデータ、導入後の使用量のデータ、節減率のデータと共に登録する必要がある。
【００５６】
サーバー３には、入力手段２３により新たに使用量節減装置１を導入する測定対象厨房Ａにおける基礎データが入力できるようになっている。
【００５７】
この入力手段２３により入力される新たに使用量節減装置１を導入する測定対象厨房Ａにおける基礎データとは、新たに使用量節減装置１を導入する測定対象厨房Ａにおける業種、業態、客席数又は一定期間（例えば１ヶ月）における客数と、使用量節減装置１の導入前の一定期間（例えば１ヶ月）における水道水、ガス、電力の少なくとも１つ又は複数の使用量のデータである。
【００５８】
例えば、新たに使用量節減装置１を導入する測定対象厨房Ａが、前述の複数に分類した業種のうちどの業種に属しているか、また、どの業態に属しているかを入力する。更に、該当測定対象厨房Ａで調理するレストランの客席数又は当該レストランの一定期間（例えば１ヶ月）における客数を入力する。更にまた、当該使用量節減装置１を導入しようとする測定対象厨房Ａにおける導入前の水道水の一定期間（例えば１ヶ月）における全使用量、ガスの全使用量、電力の全使用量を実測して入力する。この場合、導入前の一日２４時間の一時間毎の水道水、ガス、消費電力の使用量の平均値のデータも入力する。これらの入力された新たに使用量節減装置１を導入する測定対象厨房Ａのデータは、データベース２（水道データベース２ａ、ガスデータベース２ｂ、電気データベース２ｃ）に登録される。
【００５９】
サーバー３には、節減率抽出手段５が設けてあり、上記のように新たに使用量節減装置１を導入する測定対象厨房Ａにおける業種、業態、客席数又は一定期間における客数と、使用量節減装置１の導入前の一定期間における水道水、ガス、電力の各使用量を基礎データとして入力すると、この基礎データの入力に基づいて、上記節減率抽出手段５により前述のデータベース２に登録されている多数の導入済厨房の中から、上記入力された測定対象厨房Ａの基礎データと、業種、業態が一致し、且つ、客席数又は一定期間における客数、使用量節減装置１を導入する前の一定期間の使用量の基礎データとが最も近似した導入済厨房を一つ選んで選定して、当該選定された導入済厨房における使用量の節減率（水道水の節減率、ガスの節減率、消費電力の節減率）を抽出するようになっている。
【００６０】
ここで、節減率抽出手段５により、データベース２に登録された多数の導入済厨房の基礎データの中から、上記入力手段２３で入力した新たに使用量節減装置１を導入する測定対象厨房Ａにおける基礎データに最も近似した導入済厨房を選定するに当たっては、まず業種、業態の基本データが一致するものを選定し、その中から、更に、客席数又は一定期間における客数を数の大小により点数化すると共に、使用量節減装置１を導入する前の一定期間の使用量を使用量の大小により点数化し、客席数又は一定期間における客数の点数と使用量の点数との合計が、入力した当該測定対象厨房Ａに最も近い導入済厨房を選定するのであり、このようにして選定された基準となる導入済厨房における使用量の節減率を抽出するようになっている。
【００６１】
サーバー３には、更に、表示用出力処理手段６が設けてある。
【００６２】
測定対象となる測定対象厨房Ａに使用量節減装置１を導入した後に、当該測定対象厨房Ａに設けた端末装置２１から通信手段２２を介してサーバー３に当該測定対象厨房Ａにおける使用量節減装置１を導入した後の水道水、ガス、消費電力の使用量のデータが送信されるようになっている。この場合、当該測定対象厨房Ａに導入した使用量節減装置１（水道水使用量節減装置１ａ、電力使用量節減装置１ｂ）からの情報が、当該測定対象厨房Ａに設けた端末装置２１に自動的に入力され、当該測定対象厨房Ａに設けた端末装置２１から１日１回、前日２４時間の一時間毎の水道水、ガス、消費電力の使用量のデータが送信され、データベース２に登録されるようになっている。この場合、同時に当該測定対象厨房Ａ（当該測定対象レストラン）の売り上げ等他のデータもサーバー３に送信し、データベース２に登録する。
【００６３】
そして、上記のように端末装置２１から前日２４時間の１時間毎の水道水、ガス、消費電力の各使用量のデータが送信されると、サーバー３に設けた表示用出力処理手段６により、当該測定対象厨房Ａにおける一定期間（例えば１時間、あるいは１日、あるいは１ヶ月）毎の導入前の使用量（水道水、ガス、消費電力の各使用量）と、該測定対象厨房Ａにおける一定期間（例えば１時間、あるいは１日、あるいは１ヶ月）毎における導入前の使用量（水道水、ガス、消費電力の各使用量）に、上記節減率（水道水、ガス、消費電力の各節減率）を掛けることで求めた一定期間（例えば１時間、あるいは１日、あるいは１ヶ月）毎の目標使用量（水道水、ガス、消費電力の各目標使用量）と、導入後の一定期間（例えば１時間、あるいは１日、あるいは１ヶ月）における上記実際の使用量（水道水、ガス、消費電力の各実際の使用量）とを表示用出力データとして処理するようになっている。
【００６４】
また、サーバー３に設けた表示用出力処理手段６により、複数の測定対象厨房Ａのある期間におけるそれぞれの目標使用量の達成度を表示用出力データとして処理するようになっている。
【００６５】
図中７は表示部であり、上記表示用出力処理手段６で生成された出力データに基づいて、測定対象厨房Ａの一定期間における導入前の使用量と、該測定対象厨房Ａの一定期間における導入前の使用量に、上記節減率を掛けることで求めた目標使用量と、導入後の一定期間における上記実際の使用量とを表示したり、複数の測定対象厨房Ａのある期間におけるそれぞれの目標使用量の達成度を一覧比較表示したりするようになっている。
【００６６】
図４乃至図９には表示部７における表示の一例を示している。表示部７は液晶などのディスプレー表示装置により構成してあり、表示部７の画面には、使用量節減装置１の導入前の一定期間毎の使用量の変化の実測値を表示する導入前使用量表示２６と、上記導入前の一定期間毎の使用量の変化の実測値にそれぞれ前述のようにして抽出した節減率を掛けることで求めた一定期間毎の使用量の変化の目標値を表示する目標値表示２７と、導入後の一定期間毎の使用量の変化の実測値を表示する導入後使用量表示２８とが表示されるようになっている。
【００６７】
以下、表示部７による表示を図３乃至図９に基づいて具体的に説明する。
【００６８】
表示部７には、表示の種類毎に、水道画面３０ａ、電気画面３０ｂ、ガス画面（図示せず）、グループ比較画面３０ｃの４種類の画面３０を選択して表示できるようになっており、更に、データ種別毎に、上記水道画面３０ａ、電気画面３０ｂ、ガス画面、グループ比較画面３０ｃをそれぞれ「日」、「月」、「年度」毎に表示できるようになっている。
【００６９】
水道画面３０ａ、電気画面３０ｂ、ガス画面、グループ比較画面３０ｃにはいずれも主表示部３１が設けてあり、更に、水道画面３０ａ、電気画面３０ｂ、ガス画面、グループ比較画面３０ｃにはそれぞれ水道画面表示釦３２ａ、電気画面表示釦３２ｂ、ガス画面表示釦３２ｃ、グループ比較画面表示釦３２ｄ、日表示釦３３ａ、月表示釦３３ｂ、年度表示釦３３ｃが設けてあり、水道画面３０ａ、電気画面３０ｂ、ガス画面、グループ比較画面３０ｃのいずれかが表示されている時、水道画面表示釦３２ａ、電気画面表示釦３２ｂ、ガス画面表示釦３２ｃ、グループ比較画面表示釦３２ｄのうち表示されているものを異なるいずれかの釦をクリックすることで、クリックした他の画面に切り換えることができるようになっており、同様に、水道画面３０ａ、電気画面３０ｂ、ガス画面、グループ比較画面３０ｃのいずれかの「日」又は「月」又は「年度」が表示されている時、日表示釦３３ａ、月表示釦３３ｂ、年度表示釦３３ｃのうち表示されているものを異なるいずれかの釦をクリックすることで、クリックした他の画面に切り換えることができるようになっている。
【００７０】
また、水道画面３０ａ、電気画面３０ｂ、ガス画面、グループ比較画面３０ｃには、データ選択釦３５が設けてあって、「年度」、「月」、「日」を選択して指定できるようになっている。
【００７１】
水道画面３０ａ、電気画面３０ｂ、ガス画面に設けた主表示部３１には、前述の導入前使用量表示２６、目標値表示２７、導入後使用量表示２８が棒グラフとして表示されるようになっている。
【００７２】
主表示部３１における棒グラフとしての表示は、縦軸又は横軸の一方が使用量で他方が時間となっている。
【００７３】
ここで、水道画面３０ａ、電気画面３０ｂ、ガス画面にそれぞれ設けた主表示部３１には、導入後使用量表示２８が必ず一定期間毎（「日」が指定されている時は１時間毎、「月」が指定されている時は１日毎、「年度」が指定されている時は１月毎）に棒グラフとして表示される。
【００７４】
一方、導入前使用量表示２６、目標値表示２７は、水道画面３０ａ、電気画面３０ｂ、ガス画面にそれぞれ設けた「導入前使用量」の表示をするかしないかの選択をするための導入前使用量表示選択釦３４ａ、「目標値」の表示をするかしかいかの選択をするための目標値表示選択釦３４ｂをクリックして表示指定をすることで表示されるようになっており、表示指定をしない場合は表示されないようになっている。導入前使用量表示２６、目標値表示２７は、上記のように主表示部３１に一定期間毎に表示された導入後使用量表示２８と重なるように棒グラフとして表示されるようになっている。
【００７５】
図４には表示の一例を示し、表示の種類が水道で、「日」（実施例では２００８年５月１１日が指定してある）が指定されている水道画面３０ａの例であり、導入前使用量表示選択釦３４ａ、目標値表示選択釦３４ｂをいずれもクリックして導入前使用量表示２６、目標値表示２７を表示するように指定した画面であり、それぞれ指定されている「２００８年５月１１日」の１日２４時間の１時間毎の水道水の導入前使用量、目標使用量、導入後使用量が、それぞれ導入前使用量表示２６、目標値表示２７、導入後使用量表示２８として１時間毎に棒グラフとして重ねて表示してある。
【００７６】
ここで、導入前使用量表示２６は、前述のように当該測定対象厨房Ａの基礎データとして入力した導入前の一日２４時間の１時間毎の水道水の使用量が、導入後使用量表示２８に重ねて表示される。
【００７７】
また、目標値表示２７は、上記導入前の一日における１時間毎の水道水の使用量に、それぞれ前述のようにして抽出した当該測定対象厨房Ａにおける水道水の節減率を掛けることで求めた一日における１時間毎の水道水の使用量の目標値を棒グラフとして、上記１時間毎に表示された導入前使用量表示２６に重ねて表示される。
【００７８】
図４の水道画面３０ａにおいて、目標値表示選択釦３４ｂをクリックして表示指定をしないように操作すると、図５に示すような水道画面３０ａとなり、導入前使用量表示２６と、導入後使用量表示２８とが１時間毎に棒グラフとして重ねて表示される。
【００７９】
また、図５の水道画面３０ａにおいて、導入前使用量表示選択釦３４ａをクリックして表示指定をしないように操作すると（あるいは、図４の水道画面３０ａにおいて、導入前使用量表示選択釦３４ａと目標値表示選択釦３４ｂの両方をクリックして両方とも表示指定しないように操作すると）、図６に示すような水道画面３０ａとなり、導入後使用量表示２８のみが１時間毎に棒グラフとして表示される。
【００８０】
上記の図６に示される水道画面３０ａを見ることで、該当する測定対象厨房Ａにおける水道水使用量節減装置１ａの導入後における指定された日の１時間毎の実際の水道水の使用量が判る。
【００８１】
また、上記の図５に示された水道画面３０ａを見ることで、該当する測定対象厨房Ａにおける水道水使用量節減装置１ａの導入前と、導入後における指定された日の１時間毎の水道水の節減量が判る。
【００８２】
また、上記の図４に示された水道画面３０ａを見ることで、該当する測定対象厨房Ａにおける１時間毎の導入前の水道水の使用量と、目標使用量と、導入後の実際の使用量との関係が判る。特に、目標値表示２７の上端と、導入前使用量表示２６の上端とを比べることで、ある時間（例えば午前８時から午前９時までの１時間）において、導入前に対してどれだけ水道水を節減しなければならないかが判り、また、目標値表示２７の上端と、導入後使用量表示２８の上端とを比べることで、ある時間（例えば午前８時から午前９時までの１時間）において、実際の水道水の使用量が目標値に達しているか、達していないとすれば、どの程度目標値に達していないかが判る。
【００８３】
これにより、水道水使用量節減装置１ａを導入したことによるある測定対象厨房Ａにおける水道水の使用量が１時間毎、適切な使用量となっているか、あるいは、否かを適切に管理することができる。
【００８４】
ここで、導入後の使用量が目標値よりも少ない場合、全て適切であるとは言えないことがある。つまり、導入後の使用量が目標値に比べて少な過ぎる場合は、その時間帯における使用量は適切であるとは言えず、何らかの原因で使用量が少な過ぎるという結果になったとみなすことができる。このように、ある時間における導入後の使用量が目標値に比べて少なすぎる場合も上記水道画面３０ａを見ることで判り、例えば、その時は客がいつもよりも少なかったのか、あるいは、厨房で働く作業員の員数に変動があったのか、あるいは、それ以外の何らかの原因があったのか等々の原因を調査するための基礎資料として用いることができる。
【００８５】
図７には表示の種類が水道で、「月」（実施例では２００８年４月が指定してある）が指定されている水道画面３０ａの例であり、導入前使用量表示選択釦３４ａ、目標値表示選択釦３４ｂをいずれもクリックして導入前使用量表示２６、目標値表示２７を表示するように指定した画面であり、それぞれ指定されている「２００８年４月」の１月間の各日毎の水道水の導入前使用量、目標使用量、導入後使用量が、それぞれ導入前使用量表示２６、目標値表示２７、導入後使用量表示２８として日毎に棒グラフとして重ねて表示してある。
【００８６】
また、図示を省略しているが、水道画面３０ａで「年度」を指定することで、指定した年度の１年間の各月毎の水道水の導入前使用量、目標使用量、導入後使用量を、それぞれ導入前使用量表示２６、目標値表示２７、導入後使用量表示２８として月毎に棒グラフとして表示することができる。
【００８７】
図８には表示の種類が電気で、「年度」（実施例では２００７年が指定してある）が指定されている電気画面３０ｂの例であり、導入前使用量表示選択釦３４ａ、目標値表示選択釦３４ｂをいずれもクリックして導入前使用量表示２６、目標値表示２７を表示するように指定した画面であり、それぞれ指定されている「２００７年」の１年間の各月毎の電力の導入前使用量、目標使用量、導入後使用量が、それぞれ導入前使用量表示２６、目標値表示２７、導入後使用量表示２８として月毎に棒グラフとして重ねて表示してある。
【００８８】
上記例は主として水道について水道画面３０ａで表示する例を示したが、電気についての電気画面３０ｂでの表示、ガスについてのガス画面の表示も上記水道における水道画面３０ａでの表示と同様である。これら水道画面３０ａ、電気画面３０ｂ、ガス画面の表示の切り換えは、水道画面表示釦３２ａ、電気画面表示釦３２ｂ、ガス画面表示釦３２ｃのいずれかをクリックすることで行う。
【００８９】
次に、グループ比較画面表示釦３２ｄをクリックすると、グループ比較画面３０ｃが表示される。
【００９０】
すなわち、サーバー３で管理する複数の測定対象厨房Ａ（つまり、サーバー３で管理するグループに属する複数の測定対象厨房Ａ；例えば、あるレストランチェーンのグループに属している複数の測定対象厨房Ａ）における使用量節減装置１を導入したことによる水道水、ガス、電力の各目標使用量に対する達成度を求め、この複数の測定対象厨房Ａの達成度を表示用出力処理手段６により表示用出力として生成し、表示用出力処理手段６により生成された達成度の出力データに基づいて、複数の測定対象厨房Ａのある期間におけるそれぞれの目標達成度（目標節減量の達成度）を表示部７でグループ比較画面３０ｃで表示するものである。
【００９１】
グループ比較画面３０ｃは、例えば図９に示すようなもので、図９においてはグループ内における複数の測定対象厨房Ａの水道水の目標達成度を一覧比較表示している。実施形態においては、このグループ比較画面３０ｃにおいてスクロールすることで、複数の測定対象厨房Ａの水道水の目標達成度を一覧比較表示→複数の測定対象厨房Ａの電力の目標達成度を一覧比較表示→複数の測定対象厨房Ａのガスの目標達成度を一覧比較表示が順次画面に表示されるようになっている。
【００９２】
図９に示す実施形態では、目標達成度（目標節減量の達成度）は以下のようにして求められたものである。
【００９３】
すなわち、
目標達成度＝（一定期間における実績節減量）／（一定期間における目標節減量）
の式により求める。
【００９４】
ここで、
一定期間における目標節減量＝（一定期間における導入前使用量）−（一定期間における目標使用量）
一定期間における実績節減量＝（一定期間における導入前使用量）−（一定期間における導入後使用量）
である。
【００９５】
例えば、図９において１７号店が、導入前の過去の４月における導入前使用量が２００ｔ、目標使用量が１５０ｔ、導入後における４月の導入後使用量が１４４ｔであったとすると、目標達成度＝（２００−１４４）／（２００−１５０）＝１１２％となり、図９のように表示される。
【００９６】
そして、図９においては、目標達成度が１００％に近いほど、水道水の使用量が適正であり、目標達成度が１００％から離れるほど、使用量が適正でないことが判る。
【００９７】
ここで、目標達成度が１００％よりも下であると、目標達成率が１００％に近づくように、水道水の使用量を節減する必要があることが判る。
【００９８】
また、目標達成度がマイナス、つまり、図９においては、１５号店、１８号店、８号店は、使用量節減装置１の導入後の使用量が導入前の使用量よりも多くなっているので、全く節水効果が上がっていないことが判り、使用量節減装置１を導入したにもかかわらずなぜ節水効果が上がっていないかを早急に原因究明しなければならないことが判る。
【００９９】
また、１６号店、４号店、１７号店はいずれも、使用量節減装置１の導入後の使用量が目標使用量よりも下回っているので、節水効果が上がっていることは判るが、同時に使用量が目標使用量よりも少ないということは、前述のように必ずしも適正使用量であるとはいえず、何らかの原因、例えば客数の減少、厨房で働く作業員の員数の変動、あるいは、それ以外の何らかの原因があったのか等々の原因を調べなければならないことが判る。
【０１００】
このように、複数の測定対象厨房Ａの目標達成率を一覧比較表示することで、使用量節減装置１を導入したことによる節減効果を、複数の測定対象厨房Ａを互いに比較して一括して把握、管理できる。
【０１０１】
上記実施形態では、グループ比較画面３０ｃで複数の測定対象厨房Ａの水道水、電力、ガスの使用状態の結果を、一覧比較表示するに当たり、目標達成度として一覧比較表示した例を示したが、必ずしもこれにのみ限定されない。
【０１０２】
例えば、グループ比較画面３０ｃで複数の測定対象厨房Ａの水道水、電力、ガスの使用状態の結果を、目標使用量からの乖離度として一覧比較表示してもよい。
【０１０３】
この場合、
目標使用量からの乖離度＝（一定期間における導入後の使用量−一定期間における目標使用量）／（目標使用量）
の式で求める。
【０１０４】
また、グループ比較画面３０ｃで複数の測定対象厨房Ａの水道水、電力、ガスの使用状態の結果を、一定期間における目標使用量を１００％とした場合の一定期間における導入後の使用量として求め（つまり、一定期間における導入後の使用量／一定期間における目標使用量として求め）、これを一覧比較表示してもよい。
【０１０５】
また、本発明においては、各測定対象厨房Ａの端末装置２１から、水道水、電力、ガスの使用量のデータだけでなく、それぞれの測定対象厨房のレストランの売り上げ、その他のデータをサーバー３に送信するようにし、上記表示部７の画面で、各レストランの売り上げ、売り上げに対する光熱水費の割合、水道水、電力、ガスの使用量に基づくＣＯ２の排出量を求め、上記売り上げに対するＣＯ２の排出量の割合等を表示したり、あるいは、水道水、電力、ガスの節減量をそれぞれ金額として表示したり、ＣＯ２の排出量を表示したりする。これらの、表示に必要なデータ処理はサーバー３で行う。
【０１０６】
なお、前述の実施形態では、厨房において使用する水道水、ガス、電力の使用量を、使用量節減装置を導入することで適正使用量とするための厨房管理システムの例として説明したが、この実施形態においては、管理センターＢに備えたサーバー３で、複数の測定対象厨房Ａにおける水道水、ガス、電力の適正使用量を一括して管理できるようにした例で説明したが、厨房において使用する水道水、ガス、電力のうちいずれか一つ又は２つの使用量を、使用量節減装置を導入することで適正使用量として管理する厨房管理システムであってもよいのはもちろんである。この場合は、管理センターＢに備えたサーバー３で、複数の測定対象厨房Ａにおける水道水、ガス、電力のいずれか一つ又は２つの適正使用量を管理するようにしてもよい。
【図面の簡単な説明】
【０１０７】
【図１】本発明の厨房管理システムの制御ブロック図である。
【図２】同上に用いる水道水使用量節減装置を示す概略構成図である。
【図３】同上に用いる電力使用量節減装置を示す概略構成図である。
【図４】同上の表示部における画面を示す説明図である。
【図５】同上の表示部における他の画面を示す説明図である。
【図６】同上の表示部における更に他の画面を示す説明図である。
【図７】同上の表示部における更に他の画面を示す説明図である。
【図８】同上の表示部における更に他の画面を示す説明図である。
【図９】同上の表示部における更に他の画面を示す説明図である。
【符号の説明】
【０１０８】
１  使用量節減装置
１ａ  水道水使用量節減装置
２  データベース
３  サーバー
５  節減率抽出手段
６  表示用出力処理手段
７  表示部
８  給水口
９  定流量弁
１０  食器前洗い用給水装置
１１  食器
１２  前洗い用シンク
１４  電磁弁
１５  検知センサ
【図１】
2010039996.tif 000003
【図２】
2010039996.tif 000004
【図３】
2010039996.tif 000005
【図４】
2010039996.tif 000006
【図５】
2010039996.tif 000007
【図６】
2010039996.tif 000008
【図７】
2010039996.tif 000009
【図８】
2010039996.tif 000010
【図９】
2010039996.tif 000011